(57)【要約】【課題】  放電開始電圧の均一なＰＤＰ装置の実現。【解決手段】  第１の基板1と、第２の基板2とを備え、第１の基板は、維持放電を行う複数の第１電極及び第２電極11,13と、誘電体層15とを備え、第２の基板は、複数の第３電極27と、複数の隔壁20と、第３電極に対応させて隔壁で区切られる部分に順に設けられた赤色、緑色及び青色の各色を発光する蛍光体層21,22,23とを備えるプラズマディスプレイパネルであって、第１電極及び第２電極11,13は、放電を行うため対向して設けられ、各セル内で対向する間隔が変化するエッジを備え、少なくとも１つの色のセルにおける第１及び第２電極の対向するエッジの間隔の変化が、他の色のエッジの間隔の変化と異なる。【選択図】      図３
2006216452.tif 000002
【特許請求の範囲】
【請求項１】
第１の基板と、前記第１の基板に対向するように配置され、前記第１の基板との間に放電ガスが封入された放電空間を形成する第２の基板とを備え、
前記第１の基板は、交互に略平行に配置され、維持放電を行う複数の第１電極及び第２電極と、前記複数の第１電極及び第２電極を覆う誘電体層とを備え、
前記第２の基板は、前記複数の第１電極及び第２電極の伸びる方向に対して略垂直な方向に配置された複数の第３電極と、前記複数の第３電極の間に設けられた複数の隔壁と、各第３電極に対応させて両側の隔壁で区切られる部分に順に設けられた赤色、緑色及び青色の各色を発光する蛍光体層とを備え、
維持放電を行う前記第１電極及び第２電極と前記隔壁によりセルが規定されるプラズマディスプレイパネルであって、
前記複数の第１電極及び第２電極は、放電を行うため対向して設けられ、前記第１及び第２の基板に垂直な方向から見た時に、各セル内で対向する間隔が変化するエッジを備え、
少なくとも１つの色のセルにおける前記第１及び第２電極の対向する前記エッジの間隔の変化が、他の色の前記エッジの間隔の変化と異なることを特徴とするプラズマディスプレイパネル。
【請求項２】
前記複数の第１電極は、略平行に設けられた複数の第１バス電極と、各第１バス電極からセル毎に突き出た複数の第１放電電極とを備え、
前記複数の第２電極は、略平行に設けられた複数の第２バス電極と、各第２バス電極からセル毎に突き出た複数の第２放電電極とを備え、
前記複数の第１放電電極及び第２放電電極は、放電を行うため対向して設けられ、前記第１及び第２の基板に垂直な方向から見た時に、各セル内で対向する間隔が変化するエッジを備え、
少なくとも１つの色のセルにおける前記第１及び第２放電電極の対向する前記エッジの間隔の変化が、他の色の前記エッジの間隔の変化と異なる請求項１に記載のプラズマディスプレイパネル。
【請求項３】
放電開始電圧がもっとも高い特性を有する色のセルにおける前記第１及び第２電極の対向する前記エッジの間隔の平均値が、他色における前記エッジの間隔の平均値より小さい請求項１に記載のプラズマディスプレイパネル。
【請求項４】
緑色のセルにおける前記第１及び第２電極の対向する前記エッジの間隔の平均値が、他色における前記第１及び第２電極の対向する前記エッジの間隔の平均値より小さい請求項３に記載のプラズマディスプレイパネル。
【請求項５】
前記第１及び第２電極の対向する前記エッジの間隔の最小値は、略２０μｍである請求項１に記載のプラズマディスプレイパネル。
【請求項６】
前記第１及び第２電極の対向する前記エッジの間隔の最大値は、略１００μｍ以下、望ましくは５０μｍ以下である請求項１に記載のプラズマディスプレイパネル。
【請求項７】
前記第１及び第２電極の対向する前記エッジは、間隔が段階的に変化する階段状の形状を有し、
少なくとも１つの色のセルにおける前記第１及び第２電極の対向する前記エッジの間隔の段階的な変化の傾きが、他の色の前記エッジの間隔の段階的な変化の傾きと異なる請求項１に記載のプラズマディスプレイパネル。
【請求項８】
少なくとも１つの色のセルにおける前記第１及び第２電極の対向する前記エッジは曲線により形成されて間隔が徐々に変化し、他の色のセルにおける前記エッジは直線により形成されて間隔が徐々に変化する請求項１に記載のプラズマディスプレイパネル。
【請求項９】
セル内における前記第３電極の位置が、前記第１及び第２電極の対向する前記エッジの間隔の変化に応じて異なる請求項１に記載のプラズマディスプレイパネル。
【請求項１０】
請求項１から９のいずれか１項に記載のプラズマディスプレイパネルと、
前記複数の第１電極に電圧を印加する第１駆動回路と、
前記複数の第２電極に電圧を印加する第２駆動回路と、
前記複数の第３電極に電圧を印加する第３駆動回路とを備え、
前記第２駆動回路は、前記複数の第２電極にスキャンパルスを順次印加し、前記第３駆動回路は、前記スキャンパルスに同期して前記複数の第３電極にアドレスパルスを印加し、前記スキャンパルスが印加された前記第２電極と前記アドレスパルスが印加された前記第３電極の交点のセルでアドレス放電を発生させて点灯するセルを選択し、
前記第１駆動回路及び前記第２駆動回路は、前記複数の第１電極及び前記複数の第２電極に維持パルスを交互に印加して、前記選択した点灯セルで繰返し維持放電を発生させて点灯させることを特徴とするプラズマディスプレイ装置。
【発明の詳細な説明】
【技術分野】
【０００１】
本発明は、パーソナルコンピュータやワークステーションなどのディスプレイ装置、平面型テレビジョン、広告や情報などの表示用プラズマディスプレイに使用されるＡＣ型プラズマディスプレイ装置（ＰＤＰ装置）に関する。
【背景技術】
【０００２】
ＡＣ型カラーＰＤＰ装置においては、表示するセルを規定する期間（アドレス期間）と表示点灯のための放電を行う表示期間（サステイン期間）とを分離したアドレス・表示分離方式が広く採用されている。この方式においては、アドレス期間で、点灯するセルに電荷を蓄積し、その電荷を利用してサステイン期間で表示のための放電を行う。
【０００３】
また、ＰＤＰ装置には、第１の方向に伸びる複数の第１電極を互いに平行に設け、第１の方向に対して垂直な第２の方向に伸びる複数の第２電極を互いに平行に設けた２電極型の装置と、第１の方向に伸びる複数の第１電極と第２電極を交互に平行に設け、第１の方向に対して垂直な第２の方向に伸びる複数の第３電極を互いに平行に設けた３電極型の装置とがあり、近年は３電極型ＰＤＰが広く使用されている。さらに補助的役割りの電極を加えた４電極以上の構造も考案されている。
【０００４】
この３電極型ＰＤＰの一般的な構造は、第１の基板に第１（Ｘ）電極と第２（Ｙ）電極を交互に平行に設け、第１の基板に対向する第２の基板に第１及び第２電極に垂直な方向に伸びる第３（アドレス）電極を設け、電極表面をそれぞれ誘電体層で覆う（アドレス電極は誘電体層で覆わない場合もある）。第２の基板上には更に、第３電極の間に第３電極と平行に伸びる１方向のストライプ状の隔壁、又はセルを各々分離するように第３電極及び第１と第２電極と平行配置される２次元格子状の隔壁を設け、隔壁の間に蛍光体層を形成した後、第１と第２基板を貼り合せる。従って、第３電極の上には誘電体層と蛍光体層、さらに隔壁が形成される場合もある。
【０００５】
第１と第２電極の間に電圧を印加して全セルの電極近傍の電荷（壁電荷）を一様な状態にした後、第２電極にスキャンパルスを順次印加し、スキャンパルスに同期して第３電極にアドレスパルスを印加して、点灯するセル内に選択的に壁電荷を残すアドレス動作を行った後、放電する隣接２電極間が交互に逆極性の電極となる維持放電パルスを印加してアドレス動作により壁電荷の残された点灯セルで維持放電を発生させて点灯を行う。蛍光体層は、放電により発生する紫外線により発光し、それを第１基板を通して見る。そのため、第１及び第２電極は、金属材料で形成された不透明なバス電極と、ＩＴＯ膜などの透明電極で形成され、透明電極を通して蛍光体層で発生した光を見れるようになっている。一般的なＰＤＰ装置の構造及び動作は広く知られているので、ここでは詳しい説明を省略する。
【０００６】
ＰＤＰのように放電空間に放電ガスを封入して２電極間で放電を発生させる場合、放電の閾値電圧（放電開始電圧）は、２電極間の距離ｄと放電ガスの圧力ｐの積に応じて決定されることが知られており、その変化をこの積を横軸に放電開始電圧を縦軸にして示した曲線をパッシェンカーブという。パッシェンカーブは、２電極間の距離ｄと放電ガスの圧力ｐの積（ｐｄ積）がある値の時に最小値になり、その状態はパッシェンミニマムと呼ばれる。
【０００７】
上記の３電極型ＰＤＰの構成において、第１及び第２電極の透明電極は、一般に各セルで電極のエッジが平行で、エッジが間隔ｄで対向するような形状になっており、この間隔ｄと放電空間の放電ガスの圧力ｐによりパッシェンカーブが求まり、第１と第２電極間の放電開始電圧が決定される。この場合、各セルのｐｄ積は、設計値は同じでも間隔ｄの製造上のバラツキのために、ｐｄ積で決まる放電開始電圧はセル間でバラツキを持っていた。そのため、実際のＰＤＰ装置における駆動電圧は、放電開始電圧のバラツキを考慮して、放電開始電圧をパッシェンミニマムより高い値に設定し、たとえ放電開始電圧がばらついても確実に放電が発生するようにしていた。
【０００８】
例えば、特許文献１は、３電極型ＰＤＰにおいて、ｐｄ積をパッシェンミニマムより大きな値に設定することを記載している。
【０００９】
また、３電極型ＰＤＰにおいて、放電を行う第１と第２電極の組に隣接する他の組の電極との間（逆スリットと呼ぶ）では放電が発生しないように間隔を広くしていたが、特許文献２は、この間隔を狭くして、この間隔のｐｄ積をパッシェンミニマムになる値より更に小さくして放電開始電圧を高くすることにより、逆スリットで放電が発生しないようにする構成を記載している。
【００１０】
更に、特許文献３は、３電極型ＰＤＰにおいて、第１と第２電極の透明電極の間隔をｐｄ積がパッシェンミニマムになる値に設定することを記載している。
【００１１】
以上、第１の基板に交互に第１と第２電極を設け、第２の基板に第１及び第２電極と交差するように第３電極を設ける３電極型ＰＤＰにおける第３放電電極間の距離について記載した公知例を説明したが、他にも各種の形状のＰＤＰが提案されている。
【００１２】
特許文献１から３に記載された構成では、維持放電が行われる各セルにおける２つの透明電極のエッジが一定間隔ｄで対向する形状としている。パッシェンミニマムは、放電ガス圧ｐ＝１３３００Ｐａの時にｄ＝１００μｍであり、通常使用される放電ガス圧ｐ＝６７０００Ｐａの場合には、パッシェンミニマムにするにはｄ＝２０μｍとする必要がある。しかし、現状の製造技術では、製造上のバラツキのためこの間隔を安定して形成することはできない。特に、間隔が小さくなった場合には、隣接する電極同士が短絡する可能性もある。
【００１３】
また、従来の鉛系低融点ガラスを使用した誘電体では、電極間の間隔が小さくなると耐圧の問題も発生する。
【００１４】
放電ガス圧ｐを下げれば、間隔ｄを大きくしてもパッシェンミニマムにできるが、一般に放電ガス圧ｐを下げると発光効率、寿命などの性能を劣化させる傾向にあり好ましくない。
【００１５】
このように、維持放電が行われる２つの透明電極のエッジが一定間隔ｄで対向する従来技術では、間隔ｄのばらつきの影響を防止することができない。更に、蛍光体の塗布厚のバラツキから放電電圧もばらつく。
【００１６】
そこで、本出願人は、特願２００４−１３５３２１号で、維持放電を行う第１と第２電極の透明電極の間隔を、パッシェンミニマムを含む範囲内で徐々に変えて、たとえ間隔がばらついても放電開始電圧がパッシェンミニマムに対応する電圧になる構成を記載している。
【００１７】
【特許文献１】特開２００１−８４９０７号公報
【特許文献２】特開２００１−８４９０６号公報
【特許文献３】特開２００１−５２６２３号公報
【特許文献４】特開２００４−２７３２６５号公報
【特許文献５】特許第２８０１８９３号公報
【発明の開示】
【発明が解決しようとする課題】
【００１８】
カラープラズマディスプレイパネルの場合、赤（Ｒ）、緑（Ｇ）及び青（Ｂ）の蛍光体を列毎に順に設ける。このような蛍光体は、アドレス電極の誘電体層の上（又はアドレス電極の上）及び隔壁の側面に塗布されるが、色毎に塗り特性が異なるため、第１の基板の表面から蛍光体の表面までの距離が異なり、色毎にセルの放電開始電圧に差を生じることになる。このため、このような色毎の放電開始電圧に差や電極間隔のばらつきがあっても全セルで確実に放電を発生させるためには、駆動電圧を高くする必要があり、その分駆動回路のコストが増加するという問題があった。
【００１９】
本発明は、簡単な構成で色毎の放電開始電圧の差を低減し、低い駆動電圧でも全セルで確実に放電を発生できるプラズマディスプレイパネルの実現を目的とする。
【課題を解決するための手段】
【００２０】
上記目的を実現するため、本発明のプラズマディスプレイパネル（ＰＤＰ）は、維持放電を行う第１電極と第２電極の対向するエッジの間隔が、各セル内で変化するように構成し、更に色毎の放電開始電圧の差に応じてエッジの間隔変化が異なるようにする。
【００２１】
すなわち、本発明のプラズマディスプレイパネル（ＰＤＰ）は、第１の基板と、前記第１の基板に対向するように配置され、前記第１の基板との間に放電ガスが封入された放電空間を形成する第２の基板とを備え、前記第１の基板は、交互に略平行に配置され、維持放電を行う複数の第１電極及び第２電極と、前記複数の第１電極及び第２電極を覆う誘電体層とを備え、前記第２の基板は、前記複数の第１電極及び第２電極の伸びる方向に対して略垂直な方向に配置された複数の第３電極と、前記複数の第３電極の間に設けられた複数の隔壁と、各第３電極の表面及び該第３電極の両側の隔壁の側面に順に設けられた赤色、緑色及び青色の各色を発光する蛍光体層とを備え、維持放電を行う前記第１電極及び第２電極と前記隔壁によりセルが規定されるプラズマディスプレイパネルであって、前記複数の第１電極及び第２電極は、放電を行うため対向して設けられ、前記第１及び第２の基板に垂直な方向から見た時に、各セル内で対向する間隔が変化するエッジを備え、少なくとも１つの色のセルにおける前記第１及び第２電極の対向する前記エッジの間隔の変化が、他の色の前記エッジの間隔の変化と異なることを特徴とする。
【００２２】
本発明によれば、維持放電を行う第１電極と第２電極は、対向するエッジの間隔が変化する形状であり、放電開始電圧はエッジの間隔変化幅に対応した電圧範囲を有する。そのため、電極間に所定の電圧を印加する場合、たとえ対向するエッジの間隔のバラツキがあっても、この所定の電圧が上記の放電開始電圧の範囲内に入るので、確実に放電を発生させることがでる。また、色毎の放電電圧特性の差異に応じて、色毎に間隔の変化具合を異ならせるので、色毎の放電電圧特性の差異を低減することができる。
【００２３】
複数の第１電極は、略平行に設けられた複数の第１バス電極と、各第１バス電極からセル毎に突き出た複数の透明な第１放電電極とで構成し、同様に複数の第２電極は、略平行に設けられた複数の第２バス電極と、各第２バス電極からセル毎に突き出た複数の透明な第２放電電極とで構成し、第１放電電極と第２放電電極の間で維持放電を行い、第１放電電極と第２放電電極の対向するエッジの間隔が、前記第１及び第２の基板に垂直な方向から見た時に、各セル内で変化するようにし、更に色毎の放電開始電圧の差に応じて第１放電電極と第２放電電極の対向するエッジの間隔変化が異なるようにする。
【００２４】
現在、プラズマディスプレイパネルで一般に用いられている赤色、緑色及び青色の蛍光体を塗布した場合の放電開始電圧は、緑色＞青色＞赤色の順で高い。従って、緑色のセルにおけるエッジ間隔を他の色のセルにおけるエッジ間隔より小さくすれば、緑色のセルにおける放電確率が高くなるため、色毎の電圧差を低減することができる。なお、本発明によれば、第１電極と第２電極の対向するエッジの間隔は変化するので、エッジ間隔は、例えば、間隔の平均値、最小間隔幅、最大間隔幅などで表すことになる。
【００２５】
例えば、第１及び第２電極の対向するエッジの間隔の最小値は、略２０μｍであり、最大値は、略１００μｍ以下、望ましくは５０μｍ以下である。
【００２６】
第１及び第２電極の対向するエッジは、各種の形状が可能であり、例えば、対向するエッジが所定の角度をなす直線形状や、間隔が段階的に変化する階段状の形状、間隔が徐々に変化する曲線形状などがある。いずれの場合も、色に応じてエッジの全体的な傾きが異なる。
【００２７】
また、維持放電特性が色毎に異なるだけでなく、アドレス放電から第１電極と第２電極間の放電が発生する場合の放電特性も色毎に異なる。そこで、セル内における第３電極の位置を、第１及び第２電極の対向するエッジの間隔の変化に応じて異ならせることにより、色毎のアドレス放電特性の差も低減できる。
【００２８】
複数の第１及び第２電極を覆うように第１の基板に設けられた誘電体層は、気相成膜法により形成された珪素化合物であることが望ましい。従来の誘電体層の厚さは、一般に３０μｍ程度であり、電極に電圧を印加した場合に誘電体層表面に形成される電界形状は、誘電体層の厚さの影響で、かならずしも電極形状と同じにはならないことが電界シミュレーションにより判明している。電極形状に正確に対応した電界を形成するのは誘電体層の厚さはできるだけ薄いこと、例えば１０μｍ程度にすることが望ましい。このような誘電体層は、気相成膜法により形成できる。
【００２９】
放電ガスは、少なくともネオンとキセノンを含み、キセノンの混合比が１０％以上であることが望ましい。
【発明の効果】
【００３０】
本発明によれば、色毎の放電開始電圧の差を低減し、低い駆動電圧でも全セルで確実に放電を発生できるプラズマディスプレイパネルが簡単な構成で実現できる。更に、このプラズマディスプレイパネルを使用すれば、低コストの駆動回路を使用できるので、高品質及び低価格のＰＤＰ装置が実現できる。
【発明を実施するための最良の形態】
【００３１】
図１は、本発明の第１実施例のプラズマディスプレイ装置（ＰＤＰ装置）の全体構成を示す図である。図示のように、プラズマディスプレイパネル３０は、横方向（長手方向）に伸びる第１電極（Ｘ電極）群及び第２電極（Ｙ電極）群と、縦方向に伸びる第３電極（アドレス電極）群を有する。Ｘ電極群とＹ電極群は、交互に配置され、隣接するＸ電極とＹ電極が対をなす。Ｘ電極群は第１駆動回路３１に接続され、共通に駆動される。Ｙ電極群は、第２駆動回路３２に接続され、各Ｙ電極に順次スキャンパルスが印加されると共に、スキャンパルスを印加する時以外は共通に駆動される。アドレス電極群は、第３駆動回路３３に接続され、スキャンパルスに同期して独立にアドレスパルスが印加される。第１から第３駆動回路３１から３３は、制御回路３４により制御され、各回路には電源回路３５から電力が供給される。
【００３２】
図２は、プラズマディスプレイパネル（ＰＤＰ）３０の分解斜視図である。図示のように、前面（第１）ガラス基板１の上には、横方向に伸びる第１（Ｘ）バス電極１２及び第２（Ｙ）バス電極１４が交互に平行に配置されている。Ｘ及びＹ光透過性電極（放電電極）１１及び１２が、Ｘ及びＹバス電極１２、１４に重なるように設けられ、更にＸ及びＹ放電電極１１及び１３の一部が、Ｘ及びＹバス電極１２、１４の両側に突出している。例えば、Ｘ及びＹバス電極１２、１４は金属層で形成され、放電電極１１、１３はＩＴＯ層膜などで形成され、Ｘ及びＹバス電極１２、１４の抵抗値は放電電極１１、１３の抵抗値よりも低いか又は同等である。以下、Ｘ及びＹ放電電極１１及び１３のＸ及びＹバス電極１２、１４の両側に突出した部分を、単にＸ及びＹ放電電極１１及び１３と称する。
【００３３】
放電電極１１、１３及びバス電極１２、１４の上には、これらの電極を覆うように誘電体層１５が形成されている。この誘電体層１５は、例えば、可視光を透過するＳｉＯ2などで構成され、気相成膜法で形成される。なお、誘電体層１５の形成法としては、気相成膜法のうちのＣＶＤ法、特にプラズマＣＶＤ法が適しており、誘電体層１５の厚さは、約１０μｍ以下にすることが可能である。従来の気相成膜法を使用しないで形成された誘電体層の厚さは一般に３０μｍ前後である。そのため、誘電体表面に形成される電界形状は誘電体層の厚さの影響でかならずしも電極形状に対応した形状にならないことが電界シミュレーションから明らかになってきた。言い換えれば、誘電体層が厚いと誘電体層上の正確な電界制御が難しかった。これに対して、気相成膜法を使用した誘電体層は薄くできるので、誘電体層上の正確な電界制御が可能である。
【００３４】
誘電体層１５の上に、ＭｇＯなどの保護層１９が形成される。この保護層１９は、イオン衝撃により電子を放出して放電を成長させ、放電電圧の低減、放電遅れの低減などの効果を有する。この構造では、電極がこの保護層１９に覆われているため、どちらの電極群が陰極になっても保護層の効果を利用した放電が可能となる。気相成膜法により形成された誘電体層１５は、可視光をよく透過するので、前面基板とすることができる。
【００３５】
一方、背面（第２）基板２の上には、Ｘ及びＹバス電極１２、１４と交差するように第３（アドレス）電極群２７が設けられ、更にアドレス電極群２７を覆うように誘電体層２８が設けられ、更にその上に縦方向隔壁２０が形成されている。そして、隔壁２０と誘電体層２８で形成される溝の側面と底面には、放電時に発生する紫外線で励起され、赤色、緑色及び青色の可視光を発生する蛍光体層２１、２２、２３が塗布されている。
【００３６】
赤色、緑色及び青色の蛍光体は、それぞれ塗り特性が異なるため、同じように塗っても蛍光体層の厚さなどの断面形状が色毎に異なる。そのため、各セルの電圧特性も、色毎に異なる。現在一般に用いられている赤色、緑色及び青色の蛍光体を塗布した場合の放電開始電圧は、緑色＞青色＞赤色の順で高い。
【００３７】
上記のような前面基板１と背面基板２を貼り合せた後、セル内にネオン（Ｎｅ）、キセノン（Ｘｅ）などからなる放電ガスを封入する。ガス圧力は、５．３×１０4〜６．６７×１０4Ｐａである。
【００３８】
図３は、第１実施例のＰＤＰの電極形状を示す部分平面図であり、赤色（Ｒ）、緑色（Ｇ）及び青色（Ｂ）の３色のセルを、パネルに垂直な方向から見た図である。図示のように、平行に配置されたＸバス電極１２とＹバス電極１４から、対向する電極に向けて光透過性のＸ放電電極１１Ｒ、１１Ｇ、１１Ｂ及びＹ放電電極１３Ｒ、１３Ｇ、１３Ｂがそれぞれ突出している。
【００３９】
Ｘバス電極１２とＹバス電極１４に対して直交し、Ｘ放電電極１１Ｒ、１１Ｇ、１１Ｂ及びＹ放電電極１３Ｒ、１３Ｇ、１３Ｂと重なる位置にアドレス電極２７が配置され、アドレス電極２７の間に隔壁２０が配置されている。Ｘバス電極１２とＹバス電極１４の対と隔壁２０で規定される部分がセルである。
【００４０】
図示のように、Ｘ放電電極１１Ｒ、１１Ｇ、１１Ｂ及びＹ放電電極１３Ｒ、１３Ｇ、１３Ｂは、対向するエッジが所定の角度をなす直線で形成され、その間隔が徐々に変化するように形成されている。言い換えれば、エッジ間の距離が複数の値を持つ。この実施例では、Ｘ放電電極１１とＹ放電電極１３の対向するエッジは、一端ではすべてのセルで間隔ｄ１であり、他端では、赤色セルで間隔ｄ２ｒであり、緑色セルで間隔ｄ２ｇであり、青色セルで間隔ｄ２ｂである。ここで、ｄ２ｒ＞ｄ２ｂ＞ｄ２ｇである。
【００４１】
ここで、図４を利用して、本発明の放電動作を説明する。図４の横軸は放電を行う２電極間の距離ｄと放電空間の放電ガス圧力ｐの積ｐｄ、縦軸はその際の放電開始電圧であり、パッシェンカーブと呼ばれる。放電ガスは、ネオン（Ｎｅ）、キセノン（Ｘｅ）、ヘリウム（Ｈｅ）などの混合ガスである。放電ガスの組成（混合比）が一定の場合、電極間距離ｄ又は放電ガス圧力ｐが変化すると、その積ｐｄに対して放電開始電圧が変化し、図４に示すように、下に凸で、最小の放電開始電圧が存在する。この放電開始電圧が最小になる点を一般にパッシェンミニマムと呼ぶ。放電ガスの混合比は、例えばＸｅの分圧が高くなった場合、放電開始電圧は高くなる傾向にあるが、パッシェンミニマムにおける放電開始電圧の変化は小さい。
【００４２】
一般に、電極間距離を１００μｍに設定した場合、パッシェンミニマムになるガス圧力はおおよそ１．３×１０4〜２．７×１０4Ｐａの間である。従って、ガス圧力が６．７×１０4Ｐａ以下では、パッシェンミニマム距離は２０〜３０μｍであり、それ以上の距離であれば、図においてパッシェンミニマムの右側に位置することになる。第１実施例では、３色のセルのＸ放電電極１１ＧとＹ放電電極１３Ｇの一方の間隔（最小間隔）ｄ１は、ｐｄ積がパッシェンミニマムの若干右側に位置するように設定され、緑色のセルの他方の間隔ｄ２ｇ、青色のセルの他方の間隔ｄ２ｂ及び赤色のセルの他方の間隔ｄ２ｒは、ｐｄ積が図示の位置になるように設定される。これにより、緑色セルでは、対向するエッジの間隔の範囲が、他の色に比べてパッシェンミニマム近い側に位置するため、放電確率が高くなり、より放電しやすくなる。同様に、青色セルでは、赤色セルに比べて放電確率が高くなる。
【００４３】
前述のように、赤色、緑色及び青色のセルは、蛍光体の塗り特性の関係で、放電開始電圧が緑色＞青色＞赤色の順で高くなるので、上記のように電極形状により放電確率を緑色＞青色＞赤色の順で放電しやすくすると、これらの特性が互いに相殺して、色毎の放電特性の差が低減される。
【００４４】
ＰＤＰの各セルは、点灯・非点灯のみが選択できるだけであり、点灯輝度を変化させる、すなわち階調を表示することができない。そこで、１フレームを所定の重み付けをした複数のサブフィールドに分割し、各セル毎に１フレームで点灯するサブフィールドを組み合わせることにより階調表示を行う。各サブフィールドは、通常同じ駆動シーケンスを有する。
【００４５】
図５は、本実施例のＰＤＰ装置の１サブフィールドの駆動波形を示す図であり、Ｘ電極、Ｙ電極、及びアドレス電極に印加する駆動波形を示す。
【００４６】
リセット期間には、Ｙ電極に印加されるリセット鈍波５１とＸ電極に印加されるリセットパルス４１により、Ｘ放電電極１１とＹ放電電極１３の間に電位差を生じ、全セルで放電が発生する。ここで印加されるのは、電圧が徐々に変化するリセット鈍波５１であるため、微弱な放電と電荷形成を繰返し、全セル一様に壁電荷を形成する。形成された壁電荷の極性は、Ｘ放電電極近傍が正極性、Ｙ放電電極近傍が負極性であり、アドレス放電電極近傍にも正極性の電荷が形成される。
【００４７】
次に、Ｙ電極に印加される補償鈍波５２とＸ電極に印加される補償電圧４２により、リセットにより形成された壁電荷とは逆極性の電圧が鈍波で印加されるため、微弱な放電により、セル内の壁電荷が減少する。
【００４８】
次のアドレス期間では、Ｘ電極に電圧６９を印加した状態で、Ｙ電極に印加位置を順次変えながらスキャンパルス７０を印加する。スキャンパルス７０は、すべてのＹ電極に負電圧を印加した状態で、更に絶対値の大きな負極性のパルスを印加位置を順次変えながら印加されるパルスである。このスキャンパルス７０の印加と同期して、アドレス放電電極にはアドレスパルスが印加される。アドレスパルス６１は、スキャンパルスの印加されたＹ電極との交点に対応するセルを点灯する場合には印加され、点灯させない場合には印加されない。この時、リセット期間に形成された壁電荷の極性とＹ及びアドレスの各電極に印加されるパルスの極性は一致しており、この壁電荷により印加電圧を低くできる。これにより、スキャンパルス７０及びアドレスパルス６１が同時に印加されたセルではアドレス放電が発生する。この放電で、Ｘ放電電極近傍には負極性の壁電荷、Ｙ放電電極の近傍には正極性の壁電荷が形成される。言い換えれば、Ｘ電極とＹ電極の間の表示ラインでの点灯セルの選択が行われる。このように、アドレス放電により形成される電荷の極性は、前述のリセット放電の際に形成された電荷とは逆極性である。
【００４９】
維持放電期間の最初には、Ｘ電極に負極性の維持放電パルス４５を、Ｙ電極に正極性の維持放電パルス５６を印加する。アドレス放電が行われたセルでは、Ｘ放電電極近傍に負極性の壁電荷が、Ｙ放電電極近傍に正極性の壁電荷が形成されており、これらの壁電荷は、Ｘ電極に印加される維持パルス４５とＹ電極に印加される維持パルス５６による電位差を大きくするので、Ｘ電極とＹ電極の間で維持放電が発生する。一方、アドレス放電の行われなかったセルでは、壁電荷が形成されていないので、放電は発生しない。Ｘ電極とＹ電極の間で発生した維持放電により、壁電荷が反転し、Ｘ放電電極近傍に正極性の壁電荷が、Ｙ放電電極近傍に負極性の壁電荷が形成される。
【００５０】
次に、維持パルスは反転して、Ｘ電極に正極性の維持放電パルス４６を、Ｙ電極に負極性の維持放電パルス５７を印加する。最初の維持放電が発生したセルでは、Ｘ放電電極近傍に負極性の壁電荷が、Ｙ放電電極近傍に正極性の壁電荷が形成されているので、Ｘ電極に印加される維持パルス４６とＹ電極に印加される維持パルス５７による電位差を大きくするので、維持放電が発生する。これらの維持放電により、壁電荷の極性は逆転する。従って、極性を反転しながら維持パルスを繰返し印加することにより、維持放電が続く。
【００５１】
維持放電パルスの回数は、サブフィールドの輝度の重み付けに応じて決められており、輝度の重み付けの大きなサブフィールドほど維持放電期間が長い。
【００５２】
サブフィールドの最後には、消去パルス４７、５８により維持放電が行われた点灯セルで消去放電を発生させて、維持放電で形成された壁電荷を減少させる。この時、維持放電が発生しなかったセルでは壁電荷が少ないため、放電は発生しない。
【００５３】
以上、第１実施例のＰＤＰ装置を説明したが、パネル構造、電極形状、駆動波形などには各種の変形例が可能である。ここでは、電極形状の変形例を説明する。
【００５４】
例えば、第１実施例では、Ｘ放電電極とＹ放電電極の対向するエッジは所定の角度をなす直線で形成され、最小間隔はすべてのセルでｄ１であり、最大間隔は、赤色セルでｄ２ｒであり、緑色セルでｄ２ｇであり、青色セルでｄ２ｂであった。しかし、最小間隔ｄ１が色毎に異なるようにしてもよい。
【００５５】
図６は、電極形状の変形例を示す図である。図６の変形例では、赤色と青色のセルにおいては、Ｘ放電電極とＹ放電電極の対向するエッジは所定の角度をなす直線で形成され、最小間隔がｄ１、最大間隔がｄ２である。これに対して、緑色のセルでは、Ｘ放電電極とＹ放電電極の対向するエッジは曲線で形成され、間隔は赤色及び青色のセルと同様に、ｄ１からｄ２まで変化する。これにより、緑色のセルでのＸ放電電極とＹ放電電極の対向するエッジの間隔の略平均値は、赤色と青色のセルでのＸ放電電極とＹ放電電極の対向するエッジの間隔の略平均値より小さくなる。従って、緑色のセルで放電確率が増加して、放電特性の差を小さくする。
【００５６】
図７は、電極形状の他の変形例を示す図である。この変形例では、Ｘ放電電極とＹ放電電極の対向するエッジは階段状の形状を有し、間隔が段階的に変化する。そして、赤色セルでは間隔がｄ１からｄ２ｒまで変化し、緑色セルでは間隔がｄ１からｄ２ｇまで変化し、青色セルでは間隔がｄ１からｄ２ｂまで変化する。ここでは、ｄ２ｒ＞ｄ２ｂ＞ｄ２ｇである。
【００５７】
図８は、電極形状の他の変形例を示す図である。この変形例では、赤色と青色のセルにおいては、Ｘ放電電極とＹ放電電極の対向するエッジは階段状の形状を有し、間隔がｄ１からｄ２まで段階的に変化する。これに対して、緑色のセルでは、Ｘ放電電極とＹ放電電極の対向するエッジは曲線で形成され、間隔は赤色及び青色のセルと同様に、ｄ１からｄ２まで変化する。これにより、緑色のセルでのＸ放電電極とＹ放電電極の対向するエッジの間隔の略平均値は、赤色と青色のセルでのＸ放電電極とＹ放電電極の対向するエッジの間隔の略平均値より小さくなる。従って、緑色のセルで放電確率が増加して、放電特性の差を小さくする。
【００５８】
蛍光体の塗り特性の差は、維持放電電圧だけでなく、アドレス放電をトリガとして発生するＸ放電電極とＹ放電電極間の放電特性にも影響し、アドレス放電の特性が色によって異なる。そこで、赤色、緑色及び青色のセル毎に、アドレス電極がＸ放電電極及びＹ放電電極と重なる位置を変化させれば、アドレス放電特性を調整してアドレス放電特性の差を低減できる。図９及び図１０は、このための電極形状の変形例を示す。
【００５９】
図９の変形例では、Ｘ放電電極とＹ放電電極の対向するエッジは、図３に示した第１実施例と同じ電極形状を有し、緑色のセルではアドレス電極２７がＸ放電電極とＹ放電電極の対向するエッジの最小間隔の側に位置し、赤色のセルではアドレス電極２７がＸ放電電極とＹ放電電極の対向するエッジの最大間隔の側に位置し、青色のセルではアドレス電極２７がＸ放電電極とＹ放電電極の対向するエッジの中間に位置する。アドレス放電時には、アドレス電極２７とＹ放電電極１３Ｇの間でアドレス放電が発生すると、アドレス放電をトリガとしてＸ放電電極１１ＧとＹ放電電極１３Ｇとの間の放電が発生して壁電荷が形成される。緑色のセルでは、アドレス電極２７がエッジの最小間隔に近い側に位置しているため、アドレス放電をトリガとするＸ放電電極１１ＧとＹ放電電極１３Ｇとの間の放電が発生しやすい。これに対して、赤色のセルでは、アドレス電極２７がエッジの最大間隔に近い側に位置しているため、アドレス放電をトリガとするＸ放電電極１１ＧとＹ放電電極１３Ｇとの間の放電が、青色のセルに比べて発生しにくい。青色のセルではこの中間の状態になる。これにより、アドレス放電をトリガとしてＸ放電電極とＹ放電電極との間の放電を発生させる場合の放電特性の差を低減できる。
【００６０】
なお、アドレス放電の特性が色によって異なる影響のみを低減するのであれば、図１０に示すように、Ｘ放電電極とＹ放電電極の対向するエッジは、すべての色のセルで同じに形状にし、アドレス電極の位置のみを異ならせてもよい。
【００６１】
本発明の第２実施例のＰＤＰ装置は、特許文献５に記載されたＡＬＩＳ方式のＰＤＰ装置に本発明を適用した実施例である。第２実施例のＰＤＰ装置は、図１に示したのと類似の全体構成を有するが、Ｘ電極は奇数番目と偶数番目の２つのグループに分けられて、それぞれ共通に駆動される。また、Ｙ電極も奇数番目と偶数番目の２つのグループに分けられて、アドレス期間以外はそれぞれ共通に駆動される点が異なる。ＡＬＩＳ方式のＰＤＰ装置については、特許文献５に詳しく記載されているので、ここでは詳細な説明を省略し、本発明に関係する部分のみを説明する。
【００６２】
図１１は、第２実施例のプラズマディスプレイ装置（ＰＤＰ装置）で使用するプラズマディスプレイパネル（ＰＤＰ）の分解斜視図である。プラズマディスプレイパネル（ＰＤＰ）３０の分解斜視図である。説明は省略する。
【００６３】
図１２は、電極形状を示す部分平面図である。図示のように、Ｘバス電極１２及びＹバス電極１４が交互に平行に配置され、各バス電極の両側に光透過性のＸ放電電極１１ＡＲ、１１ＢＲ、１１ＡＧ、１１ＢＧ、１１ＡＢ、１１ＢＢ及びＹ放電電極１３ＡＲ、１３ＢＲ、１３ＡＧ、１３ＢＧ、１３ＡＢ、１３ＢＢがそれぞれ突出している。対向するように突出したＸ放電電極及びＹ放電電極は、第１実施例と同様に、対向するエッジが所定の角度をなす直線状であり、色毎に角度が異なる。電極形状や配置は第１実施例と同様であり、説明は省略する。
【００６４】
本実施例のＰＤＰ装置はＡＬＩＳ方式であり、Ｘ電極とＹ電極のすべての間に表示ラインが形成される。例えば、１番目のＸ電極と１番目のＹ電極の間に１番目の表示ラインが形成され、１番目のＹ電極と２番目のＸ電極の間に２番目の表示ラインが形成され、２番目のＸ電極と２番目のＹ電極の間に３番目の表示ラインが形成され、２番目のＹ電極と３番目のＸ電極の間に４番目の表示ラインが形成される。言い換えれば、奇数番目のＸ電極とＹ電極の間及び偶数番目のＸ電極とＹ電極の間に奇数番目の表示ラインが形成され、奇数番目のＹ電極と偶数番目のＸ電極の間及び偶数番目のＹ電極と奇数番目のＸ電極の間に偶数番目の表示ラインが形成される。１表示フィールドを奇数フィールドと偶数フィールドに分け、奇数フィールドでは、奇数番目の表示ラインを表示し、偶数フィールドでは偶数番目の表示ラインを表示する。奇数フィールドと偶数フィールドは、それぞれ複数のサブフィールドで構成される。
【００６５】
図１３と図１４は、本実施例のＰＤＰ装置の１サブフィールドの駆動波形を示す図であり、図１３は奇数フィールドの駆動波形を示し、図１４は偶数フィールドの駆動波形を示し、奇数番目のＸ電極（Ｘ１）、奇数番目のＹ電極（Ｙ１）、偶数番目のＸ電極（Ｘ２）、偶数番目のＹ電極（Ｙ２）、及びアドレス電極（Ａ）に印加する駆動波形を示す。まず、奇数フィールドについて説明する。
【００６６】
リセット期間に印加される波形は、第１実施例と同じである。Ｘ１電極とＸ２には同じ波形が、Ｙ１電極とＹ２電極にも同じ波形が印加され、全セルが均一な状態になる。
【００６７】
アドレス期間は前半部と後半部に分かれる。前半部では、奇数番目のＸ電極Ｘ１に選択パルス４３を印加し、偶数番目のＸ電極Ｘ２及びＹ電極Ｙ２には０Ｖを印加した状態で、奇数番目のＹ電極Ｙ１に印加位置を順次変えながらスキャンパルス５３を印加する。スキャンパルス５３は、奇数番目のすべてのＹ電極Ｙ１に負電圧を印加した状態で、更に絶対値の大きな負極性のパルスを印加位置を順次変えながら印加されるパルスである。このスキャンパルス５３の印加と同期して、アドレス放電電極にはアドレスパルス６１が印加される。アドレスパルス６１は、スキャンパルスの印加されたＹ電極との交点に対応するセルを点灯する場合には印加され、点灯させない場合には印加されない。この時、リセット期間に形成された壁電荷の極性とＹ及びアドレスの各電極に印加されるパルスの極性は一致しており、この壁電荷により印加電圧を低くできる。これにより、選択パルス４３、スキャンパルス５３及びアドレスパルス６１が同時に印加されたセルではアドレス放電が発生する。この放電で、Ｘ放電電極近傍には負極性の壁電荷、Ｙ放電電極の近傍には正極性の壁電荷が形成される。言い換えれば、奇数番目のＸ電極Ｘ１と奇数番目のＹ電極Ｙ１の間の表示ラインでの点灯セルの選択が行われる。このように、アドレス放電により形成される電荷の極性は、前述のリセット放電の際に形成された電荷とは逆極性である。なお、選択パルス４３の印加されない偶数番目のＸ放電電極及びスキャンパルス５３の印加されない偶数番目のＹ放電電極近傍では、リセット期間終了時の壁電荷が維持される。
【００６８】
アドレス期間の後半部では、偶数番目のＸ電極Ｘ２に選択パルス４４を印加し、奇数番目のＸ電極Ｘ１及びＹ電極Ｙ１には０Ｖを印加した状態で、偶数番目のＹ電極Ｙ２に印加位置を順次変えながらスキャンパルス５４を印加し、アドレスパルス６１をアドレス電極に印加する。これにより、上記と同様に、偶数番目のＸ電極Ｘ２と偶数番目のＹ電極Ｙ２の間の表示ラインでの点灯セルの選択が行われる。従って、アドレス期間の前半部と後半部で、奇数番目の表示ラインの点灯セルでアドレス放電が発生し、点灯セルの選択が行われたことになる。
【００６９】
維持放電期間では、奇数番目のＸ電極Ｘ１と偶数番目のＹ電極Ｙ２に同相の維持放電パルス４５、４６、５９、６０を、偶数番目のＸ電極Ｘ２と奇数番目のＹ電極Ｙ１に同相の維持放電パルス４８、４９、５６、５７を印加する。奇数番目のＸ電極Ｘ１と偶数番目のＹ電極Ｙ２に印加される維持パルス４５、４６、５９、６０は、偶数番目のＸ電極Ｘ２と奇数番目のＹ電極Ｙ１に印加される維持パルス４８、４９、５６、５７と逆相である。従って、奇数番目のＸ電極Ｘ１と奇数番目のＹ電極Ｙ１の間、及び偶数番目のＸ電極Ｘ２と偶数番目のＹ電極Ｙ２の間には、維持パルスによる大きな絶対値の電圧が印加され、奇数番目のＹ電極Ｙ１と偶数番目のＸ電極Ｘ２の間、及び偶数番目のＹ電極Ｙ２と奇数番目のＸ電極Ｘ１との間には、維持パルスによる電圧は印加されない。言い換えれば、奇数表示ラインには維持パルス電圧が印加され、偶数表示ラインには維持パルス電圧は印加されない。
【００７０】
維持放電期間の最初には、奇数番目のＸ電極Ｘ１と偶数番目のＹ電極Ｙ２に負極性の維持放電パルス４５、５９を、偶数番目のＸ電極Ｘ２と奇数番目のＹ電極Ｙ１に正極性の維持放電パルス４８、５６を印加する。アドレス放電が行われたセルでは、Ｘ放電電極近傍に負極性の壁電荷が、Ｙ放電電極近傍に正極性の壁電荷が形成されており、これらの壁電荷は、奇数番目のＸ電極Ｘ１に印加される維持パルス４５と奇数番目のＹ電極Ｙ１に印加される維持パルス５６による電位差を大きくするので、奇数番目のＸ電極Ｘ１と奇数番目のＹ電極Ｙ１の間で維持放電が発生する。偶数番目のＸ電極Ｘ２と偶数番目のＹ電極Ｙ２の間では、壁電荷による電圧の逆性が逆のため放電は発生しない。奇数番目のＸ電極Ｘ１と奇数番目のＹ電極Ｙ１の間で発生した維持放電により、壁電荷が反転し、奇数番目のＸ放電電極Ｘ１近傍に正極性の壁電荷が、奇数番目のＹ放電電極Ｙ１近傍に負極性の壁電荷が形成される。
【００７１】
次に、維持パルスは反転して、奇数番目のＸ電極Ｘ１と偶数番目のＹ電極Ｙ２に正極性の維持放電パルス４６、６０を、偶数番目のＸ電極Ｘ２と奇数番目のＹ電極Ｙ１に負極性の維持放電パルス４９、５７を印加する。偶数番目のＸ電極Ｘ２と偶数番目のＹ電極Ｙ２の間でアドレス放電が行われたセルでは、最初の維持放電は発生しないので、アドレス期間終了時の壁電荷が維持されており、この壁電荷は、偶数番目のＸ電極Ｘ２に印加される維持パルス４９と偶数番目のＹ電極Ｙ２に印加される維持パルス６０による電位差を大きくするので、偶数番目のＸ電極Ｘ２と偶数番目のＹ電極Ｙ２の間で維持放電が発生する。更に、奇数番目のＸ電極Ｘ１と奇数番目のＹ電極Ｙ１の間で維持放電が発生したセルでは、奇数番目のＸ放電電極Ｘ１近傍に負極性の壁電荷が、奇数番目のＹ放電電極Ｙ１近傍に正極性の壁電荷が形成されているので、奇数番目のＸ電極Ｘ１に印加される維持パルス４６と奇数番目のＹ電極Ｙ１に印加される維持パルス５７による電位差を大きくするので、奇数番目のＸ電極Ｘ１と奇数番目のＹ電極Ｙ１の間で維持放電が発生する。これらの維持放電により、壁電荷の極性は逆転する。従って、極性を反転しながら維持パルスを繰返し印加することにより、維持放電が続く。
【００７２】
維持放電パルスの回数は、サブフィールドの輝度の重み付けに応じて決められており、輝度の重み付けの大きなサブフィールドほど維持放電期間が長い。
【００７３】
サブフィールドの最後には、消去パルス４７、５８により維持放電が行われた点灯セルで消去放電を発生させて、維持放電で形成された壁電荷を減少させる。この時、維持放電が発生しなかったセルでは壁電荷が少ないため、放電は発生しない。
【００７４】
以上、奇数フィールドの各サブフィールドにおける駆動波形と動作を説明した。上記のように、奇数フィールドでは、奇数番目の表示ラインが点灯して表示が行われる。
【００７５】
偶数フィールドでは、図１４に示すように、リセット期間には、奇数フィールドと同じパルスが各電極に印加される。アドレス期間の前半部では、偶数Ｘ電極Ｘ２に選択パルス４３を印加し、奇数Ｘ電極Ｘ１と偶数Ｙ電極Ｙ２に０Ｖを印加した状態で、奇数番目のＹ電極Ｙ１に印加位置を順次変えながらスキャンパルス５３を印加する。また、アドレス期間の後半部では、奇数Ｘ電極Ｘ１に選択パルス４３を印加し、偶数Ｘ電極Ｘ２と奇数Ｙ電極Ｙ１に０Ｖを印加した状態で、偶数番目のＹ電極Ｙ２に印加位置を順次変えながらスキャンパルス５４を印加する。これにより、奇数番目のＹ電極Ｙ１と偶数番目のＸ電極Ｘ２の間及び偶数番目のＹ電極Ｙ２と奇数番目のＸ電極Ｘ１の間の表示ライン、すなわち偶数番目の表示ラインの点灯セルでアドレス放電が発生し、点灯セルの選択が行われる。
【００７６】
維持放電期間には、奇数番目のＸ電極Ｘ１と奇数番目のＹ電極Ｙ１に同相の維持放電パルス６５、６６、５６、５７を、偶数番目のＸ電極Ｘ２と偶数番目のＹ電極Ｙ２に同相の維持放電パルス６７、６８、５９、６０を印加する。維持放電パルス６５、６６、５６、５７は、維持放電パルス６７、６８、５９、６０と逆相である。従って、奇数番目のＹ電極Ｙ１と偶数番目のＸ電極Ｘ２の間、及び偶数番目のＹ電極Ｙ２と奇数番目のＸ電極Ｘ１の間には、維持パルスによる大きな絶対値の電圧が印加される。これにより、偶数番目の表示ラインで維持放電が発生する。
【００７７】
以上本発明の第２実施例のＰＤＰ装置について説明したが、第１実施例のＰＤＰにも第１実施例で説明したのと同様の変形例を適用することが可能である。
（付記１）
第１の基板と、前記第１の基板に対向するように配置され、前記第１の基板との間に放電ガスが封入された放電空間を形成する第２の基板とを備え、
前記第１の基板は、交互に略平行に配置され、維持放電を行う複数の第１電極及び第２電極と、前記複数の第１電極及び第２電極を覆う誘電体層とを備え、
前記第２の基板は、前記複数の第１電極及び第２電極の伸びる方向に対して略垂直な方向に配置された複数の第３電極と、前記複数の第３電極の間に設けられた複数の隔壁と、各第３電極に対応させて両側の隔壁で区切られる部分に順に設けられた赤色、緑色及び青色の各色を発光する蛍光体層とを備え、
維持放電を行う前記第１電極及び第２電極と前記隔壁によりセルが規定されるプラズマディスプレイパネルであって、
前記複数の第１電極及び第２電極は、放電を行うため対向して設けられ、前記第１及び第２の基板に垂直な方向から見た時に、各セル内で対向する間隔が変化するエッジを備え、
少なくとも１つの色のセルにおける前記第１及び第２電極の対向する前記エッジの間隔の変化が、他の色の前記エッジの間隔の変化と異なることを特徴とするプラズマディスプレイパネル。（１）
（付記２）
前記複数の第１電極は、略平行に設けられた複数の第１バス電極と、各第１バス電極からセル毎に突き出た複数の第１放電電極とを備え、
前記複数の第２電極は、略平行に設けられた複数の第２バス電極と、各第２バス電極からセル毎に突き出た複数の第２放電電極とを備え、
前記複数の第１放電電極及び第２放電電極は、放電を行うため対向して設けられ、前記第１及び第２の基板に垂直な方向から見た時に、各セル内で対向する間隔が変化するエッジを備え、
少なくとも１つの色のセルにおける前記第１及び第２放電電極の対向する前記エッジの間隔の変化が、他の色の前記エッジの間隔の変化と異なる請求項１に記載のプラズマディスプレイパネル。（２）
（付記３）
放電開始電圧がもっとも高い特性を有する色のセルにおける前記第１及び第２電極の対向する前記エッジの間隔の平均値が、他色における前記エッジの間隔の平均値より小さい請求項１に記載のプラズマディスプレイパネル。（３）
（付記４）
緑色のセルにおける前記第１及び第２電極の対向する前記エッジの間隔の平均値が、他色における前記第１及び第２電極の対向する前記エッジの間隔の平均値より小さい請求項３に記載のプラズマディスプレイパネル。（４）
（付記５）
前記第１及び第２電極の対向する前記エッジの間隔の最小値は、略２０μｍである請求項１に記載のプラズマディスプレイパネル。（５）
（付記６）
前記第１及び第２電極の対向する前記エッジの間隔の最大値は、略１００μｍ以下、望ましくは５０μｍ以下である請求項１に記載のプラズマディスプレイパネル。（６）
（付記７）
前記第１及び第２電極の対向する前記エッジは、間隔が段階的に変化する階段状の形状を有し、
少なくとも１つの色のセルにおける前記第１及び第２電極の対向する前記エッジの間隔の段階的な変化の傾きが、他の色の前記エッジの間隔の段階的な変化の傾きと異なる請求項１に記載のプラズマディスプレイパネル。（７）
（付記８）
少なくとも１つの色のセルにおける前記第１及び第２電極の対向する前記エッジは曲線により形成されて間隔が徐々に変化し、他の色のセルにおける前記エッジは直線により形成されて間隔が徐々に変化する請求項１に記載のプラズマディスプレイパネル。（８）
（付記９）
少なくとも１つの色のセルにおける前記第１及び第２電極の対向する前記エッジは曲線により形成されて間隔が徐々に変化し、他の色のセルにおける前記エッジは、間隔が段階的に変化する階段状の形状を有し、間隔が段階的に変化する請求項１に記載のプラズマディスプレイパネル。
（付記１０）
セル内における前記第３電極の位置が、前記第１及び第２電極の対向する前記エッジの間隔の変化に応じて異なる請求項１に記載のプラズマディスプレイパネル。（９）
（付記１１）
前記第１の基板に設けられた前記誘電体層は、気相成膜法により形成された珪素化合物である請求項１に記載のプラズマディスプレイパネル。
（付記１２）
前記第１の基板に設けられた前記誘電体層の厚さは、略１０μｍ以下である請求項１に記載のプラズマディスプレイパネル。
（付記１３）
前記放電ガスは、少なくともネオンとキセノンを含み、キセノンの混合比が１０％以上である請求項１に記載のプラズマディスプレイパネル。
（付記１４）
請求項１から１３のいずれか１項に記載のプラズマディスプレイパネルと、
前記複数の第１電極に電圧を印加する第１駆動回路と、
前記複数の第２電極に電圧を印加する第２駆動回路と、
前記複数の第３電極に電圧を印加する第３駆動回路とを備え、
前記第２駆動回路は、前記複数の第２電極にスキャンパルスを順次印加し、前記第３駆動回路は、前記スキャンパルスに同期して前記複数の第３電極にアドレスパルスを印加し、前記スキャンパルスが印加された前記第２電極と前記アドレスパルスが印加された前記第３電極の交点のセルでアドレス放電を発生させて点灯するセルを選択し、
前記第１駆動回路及び前記第２駆動回路は、前記複数の第１電極及び前記複数の第２電極に維持パルスを交互に印加して、前記選択した点灯セルで繰返し維持放電を発生させて点灯させることを特徴とするプラズマディスプレイ装置。（１０）
【産業上の利用可能性】
【００７８】
以上説明したように、本発明によれば、各セルの放電開始電圧を均一にできるので、放電開始電圧を低く設定でき、回路コストを低減できる。これにより、表示品質の良好なＰＤＰ装置を、低コストで実現できる。
【図面の簡単な説明】
【００７９】
【図１】本発明の第１実施例のＰＤＰ装置の全体構成を示す図である。
【図２】第１実施例のＰＤＰの分解斜視図である。
【図３】第１実施例の電極形状を示す図である。
【図４】パッシェンカーブを示す図である。
【図５】第１実施例のＰＤＰ装置の駆動波形を示す図である。
【図６】電極形状の変形例を示す図である。
【図７】電極形状の変形例を示す図である。
【図８】電極形状の変形例を示す図である。
【図９】電極形状の変形例を示す図である。
【図１０】電極形状の変形例を示す図である。
【図１１】第２実施例のＰＤＰの分解斜視図である。
【図１２】第２実施例の電極形状を示す図である。
【図１３】第２実施例のＰＤＰ装置の駆動波形（奇数フィールド）を示す図である。
【図１４】第２実施例のＰＤＰ装置の駆動波形（偶数フィールド）を示す図である。
【符号の説明】
【００８０】
１    前面基板
２    背面基板
１１    第１（Ｘ）放電電極
１２    第１（Ｘ）バス電極
１３    第２（Ｙ）放電電極
１４    第２（Ｙ）バス電極
１５    第１誘電体層
２０    縦隔壁
２１、２２、２３    蛍光体層
２７    第３（アドレス）電極
【図１】
2006216452.tif 000003
【図２】
2006216452.tif 000004
【図３】
2006216452.tif 000005
【図４】
2006216452.tif 000006
【図５】
2006216452.tif 000007
【図６】
2006216452.tif 000008
【図７】
2006216452.tif 000009
【図８】
2006216452.tif 000010
【図９】
2006216452.tif 000011
【図１０】
2006216452.tif 000012
【図１１】
2006216452.tif 000013
【図１２】
2006216452.tif 000014
【図１３】
2006216452.tif 000015
【図１４】
2006216452.tif 000016